(57)【要約】  本発明はＢＳＲを送信するための方法を開示する。当該方法は、ＬＣＧ論理チャネルが正常なＢＳＲトリガ条件を満たす場合に、第１の正常なＢＳＲをトリガし、またはＢＳＲ再送タイマが切れ、かつ、何れかのＬＣＧ論理チャネルが送信可能データを有する場合に、第２の正常なＢＳＲをトリガするステップと、当該第１の正常なＢＳＲをトリガした当該ＬＣＧ論理チャネルが非送信可能条件を満たす場合に、当該第１の正常なＢＳＲをキャンセルし、または当該第２の正常なＢＳＲがトリガされた後に全てのＬＣＧ論理チャネルが非送信可能条件を満たす場合に、当該第２の正常なＢＳＲをキャンセルするステップと、アップリンク送信リソースが現在のＴＴＩで利用可能であり、かつ、トリガされているがキャンセルされていない当該第１の正常なＢＳＲまたは当該第２の正常なＢＳＲが存在する場合には、当該アップリンク送信リソースを用いてＢＳＲ  ＭＡＣ  ＣＥを送信するステップと、を含む。開示した方法により、ＵＥが無意味なＢＳＲ  ＭＡＣ  ＣＥを生成し報告することが防止され、その結果、送信リソースが節約される。
2014512782.tif 000002
【特許請求の範囲】
【請求項１】
論理チャネル・グループＬＣＧ論理チャネルが正常なＢＳＲトリガ条件を満たす場合に第１の正常なＢＳＲをトリガし、または、ＢＳＲ再送タイマが切れて何れかのＬＣＧ論理チャネルが送信可能データを有する場合に第２の正常なＢＳＲをトリガするステップと、
前記第１の正常なＢＳＲをトリガする前記ＬＣＧ論理チャネルが非送信可能条件を満たす場合に前記第１の正常なＢＳＲをキャンセルし、または、前記第２の正常なＢＳＲがトリガされた後に全てのＬＣＧ論理チャネルが非送信可能条件を満たす場合に前記第２の正常なＢＳＲをキャンセルするステップと、
アップリンク送信リソースが現在の送信時間インターバルＴＴＩで利用可能であり、かつ、トリガ状態の前記第１の正常なＢＳＲまたは前記第２の正常なＢＳＲが存在する場合に、前記アップリンク送信リソースを用いることにより、バッファ・ステータス・レポートのメディア・アクセス・コントロール制御要素ＢＳＲ  ＭＡＣ  ＣＥを送信するステップと、
を含む、バッファ・ステータス・レポートＢＳＲを送信するための方法。
【請求項２】
前記ＬＣＧ論理チャネルにより前記正常なＢＳＲトリガ条件を満たすことは、
前記ＬＣＧ論理チャネルにおいて、送信可能データの量がゼロから増加するかまたは前記ＬＣＧ論理チャネルの中のデータが送信可能になり、前記ＬＣＧ論理チャネルの優先度が送信可能データを有する他の全てのＬＣＧ論理チャネルの優先度よりも高いこと、
前記ＬＣＧ論理チャネルにおいて、送信可能データの量がゼロから増加し、過去にどのＬＣＧ論理チャネルも送信可能データを有さないこと、
の条件のうち何れか１つを満たすことである、請求項１に記載の方法。
【請求項３】
前記ＬＣＧ論理チャネルにより非送信可能条件を満たすことは、前記ＬＣＧ論理チャネルが送信可能データを有さないことである、請求項１に記載の方法。
【請求項４】
ＬＣＧ論理チャネルが正常なＢＳＲトリガ条件を満たす場合に、第１の正常なＢＳＲをトリガし、または、ＢＳＲ再送タイマが切れ何れかのＬＣＧ論理チャネルが送信可能データを有する場合に、第２の正常なＢＳＲをトリガするように構成された正常ＢＳＲトリガ・モジュールと、
前記第１の正常なＢＳＲをトリガする前記ＬＣＧ論理チャネルが非送信可能条件を満たす場合に、前記正常ＢＳＲトリガ・モジュールによりトリガされた前記第１の正常なＢＳＲをキャンセルし、または、前記第２の正常なＢＳＲがトリガされた後に全てのＬＣＧ論理チャネルが非送信可能条件を満たす場合に、前記正常ＢＳＲトリガ・モジュールによりトリガされた前記第２の正常なＢＳＲをキャンセルするように構成された正常ＢＳＲキャンセル・モジュールと、
アップリンク送信リソースが現在のＴＴＩで利用可能であり、かつ、前記正常ＢＳＲトリガ・モジュールによりトリガされたトリガ状態にある前記第１の正常なＢＳＲまたは前記第２の正常なＢＳＲが存在する場合に、前記アップリンク送信リソースを用いることによりＢＳＲ  ＭＡＣ  ＣＥを送信するように構成された正常ＢＳＲ送信モジュールと、
を備える、ユーザ機器。
【請求項５】
前記ＬＣＧ論理チャネルが前記正常なＢＳＲトリガ条件を満たす場合に前記第１の正常なＢＳＲをトリガするように構成された前記正常ＢＳＲトリガ・モジュールは、特に、
前記ＬＣＧ論理チャネルにおいて、送信可能データの量がゼロから増加するかまたは前記ＬＣＧ論理チャネルの中のデータが送信可能になり、前記ＬＣＧ論理チャネルの優先度が送信可能データを有する他の全てのＬＣＧ論理チャネルの優先度よりも高いこと、
前記ＬＣＧ論理チャネルにおいて、送信可能データの量がゼロから増加し、過去にどのＬＣＧ論理チャネルも送信可能データを有さないこと、
の条件のうち何れか１つを前記ＬＣＧ論理チャネルが満たす場合に前記第１の正常なＢＳＲをトリガするように構成されている正常ＢＳＲトリガ・モジュールを備える、請求項４に記載のユーザ機器。
【請求項６】
前記正常ＢＳＲキャンセル・モジュールは特に、
前記第１の正常なＢＳＲをトリガする前記ＬＣＧ論理チャネルが送信可能データを有さない場合に、前記正常ＢＳＲトリガ・モジュールによりトリガされた前記第１の正常なＢＳＲをキャンセルし、または、前記第２の正常なＢＳＲがトリガされた後にどのＬＣＧ論理チャネルも送信可能データを有さない場合に、前記正常ＢＳＲトリガ・モジュールによりトリガされた前記第２の正常なＢＳＲをキャンセルするように構成される、請求項４に記載のユーザ機器。
【請求項７】
ＬＣＧ論理チャネルが正常なＢＳＲトリガ条件を満たす場合に第１の正常なＢＳＲをトリガし、または、ＢＳＲ再送タイマが切れ何れかのＬＣＧ論理チャネルが送信可能データを有する場合に、第２の正常なＢＳＲをトリガするステップと、
現在のＴＴＩで利用可能であるアップリンク送信リソースがなく、かつ、トリガ状態にある前記第１の正常なＢＳＲまたは前記第２の正常なＢＳＲが存在する場合には、ＳＲをトリガするステップと、
前記第１の正常なＢＳＲをトリガする前記ＬＣＧ論理チャネルが非送信可能条件を満たす場合に前記第１の正常なＢＳＲをキャンセルし、または、前記第２の正常なＢＳＲがトリガされた後に全てのＬＣＧ論理チャネルが非送信可能条件を満たす場合に、前記第２の正常なＢＳＲをキャンセルするステップと、
全ての正常なＢＳＲがキャンセルされた場合に全てのＳＲをキャンセルするステップと、
前記現在のＴＴＩにおいて利用可能なアップリンク送信リソースがなく、かつ、トリガ状態のＳＲが存在する場合には、ＳＲリソースまたはランダム・アクセス手続きを使用することによって前記ＳＲを送信するステップと、
を含む、スケジューリング要求ＳＲを送信するための方法。
【請求項８】
前記ＬＣＧ論理チャネルにより前記正常なＢＳＲトリガ条件を満たすことは、
前記ＬＣＧ論理チャネルにおいて、送信可能データの量がゼロから増加するかまたは前記ＬＣＧ論理チャネルの中のデータが送信可能になり、前記ＬＣＧ論理チャネルの優先度が送信可能データを有する他の全てのＬＣＧ論理チャネルの優先度よりも高いこと、
前記ＬＣＧ論理チャネルにおいて、送信可能データの量がゼロから増加し、過去にどのＬＣＧ論理チャネルも送信可能データを有さないこと、
の条件のうち何れか１つを満たすことである、請求項７に記載の方法。
【請求項９】
前記ＬＣＧ論理チャネルにより非送信可能条件を満たすことは、前記ＬＣＧ論理チャネルが送信可能データを有さないことである、請求項７に記載の方法。
【請求項１０】
前記ＳＲは、前記ＳＲをトリガする前記第１の正常なＢＳＲまたは前記第２の正常なＢＳＲと１対１に対応し、
全ての正常なＢＳＲがキャンセルされた場合に全てのＳＲをキャンセルするステップは、特に、各正常なＢＳＲがキャンセルされた後に対応するＳＲをキャンセルするステップを含む、請求項７に記載の方法。
【請求項１１】
論理チャネル・グループＬＣＧ論理チャネルが正常なＢＳＲトリガ条件を満たす場合には第１の正常なＢＳＲをトリガし、または、ＢＳＲ再送タイマが切れ、かつ、何れかのＬＣＧ論理チャネルが送信可能データを有する場合には、第２の正常なＢＳＲをトリガするように構成された正常ＢＳＲトリガ・モジュールと、
現在のＴＴＩで利用可能であるアップリンク送信リソースがなく、かつ、前記正常ＢＳＲトリガ・モジュールによりトリガされたトリガ状態にある前記第１の正常なＢＳＲまたは前記第２の正常なＢＳＲが存在する場合には、ＳＲをトリガするように構成されたＳＲトリガ・モジュールと、
前記第１の正常なＢＳＲをトリガする前記ＬＣＧ論理チャネルが非送信可能条件を満たす場合に、前記正常ＢＳＲトリガ・モジュールによりトリガされた前記第１の正常なＢＳＲをキャンセルし、または、前記第２の正常なＢＳＲがトリガされた後に全てのＬＣＧ論理チャネルが非送信可能条件を満たす場合に、前記正常ＢＳＲトリガ・モジュールによりトリガされた前記第２の正常なＢＳＲをキャンセルするように構成された正常ＢＳＲキャンセル・モジュールと、
前記正常ＢＳＲトリガ・モジュールによりトリガされた全ての正常なＢＳＲが前記正常ＢＳＲキャンセル・モジュールによりキャンセルされた場合に、前記ＳＲトリガ・モジュールによりトリガされた全てのＳＲをキャンセルするように構成されたＳＲキャンセル・モジュールと、
前記現在のＴＴＩにおいて利用可能なアップリンク送信リソースがなく、かつ、前記ＳＲトリガ・モジュールによりトリガされたトリガ状態にあるＳＲが存在する場合には、ＳＲリソースまたはランダム・アクセス手続きを使用することによって前記ＳＲを送信するように構成されたＳＲ送信モジュールと、
を備える、ユーザ機器。
【請求項１２】
前記ＬＣＧ論理チャネルが前記正常なＢＳＲトリガ条件を満たす場合に前記第１の正常なＢＳＲをトリガするように構成された前記正常ＢＳＲトリガ・モジュールは、特に、
前記ＬＣＧ論理チャネルにおいて、送信可能データの量がゼロから増加するかまたは前記ＬＣＧ論理チャネルの中のデータが送信可能になり、前記ＬＣＧ論理チャネルの優先度が送信可能データを有する他の全てのＬＣＧ論理チャネルの優先度よりも高いこと、
前記ＬＣＧ論理チャネルにおいて、送信可能データの量がゼロから増加し、過去にどのＬＣＧ論理チャネルも送信可能データを有さないこと、
の条件のうち何れか１つを前記論理チャネル・グループＬＣＧ論理チャネルが満たす場合に前記第１の正常なＢＳＲをトリガするように構成されている正常ＢＳＲトリガ・モジュールを備える、請求項１１に記載のユーザ機器。
【請求項１３】
前記正常ＢＳＲキャンセル・モジュールは特に、
前記第１の正常なＢＳＲをトリガする前記ＬＣＧ論理チャネルが送信可能データを有さない場合に、前記正常ＢＳＲトリガ・モジュールによりトリガされた前記第１の正常なＢＳＲをキャンセルし、または、前記第２の正常なＢＳＲがトリガされた後にどのＬＣＧ論理チャネルも送信可能データを有さない場合に、前記正常ＢＳＲトリガ・モジュールによりトリガされた前記第２の正常なＢＳＲをキャンセルするように構成される、請求項１１に記載のユーザ機器。
【請求項１４】
前記ＳＲトリガ・モジュールは、特に、前記現在のＴＴＩにおいて利用可能なアップリンク送信リソースがなく、かつ、前記正常ＢＳＲトリガ・モジュールによりトリガされたトリガ状態にある前記第１の正常なＢＳＲまたは前記第２の正常なＢＳＲが存在する場合にはＳＲをトリガするように構成され、前記ＳＲは、前記ＳＲをトリガした前記正常なＢＳＲと１対１に対応し、
前記ＳＲキャンセル・モジュールは、特に、各正常なＢＳＲがキャンセルされた後に対応するＳＲをキャンセルするように構成される、
請求項１１に記載のユーザ機器。
【請求項１５】
ユーザ機器により送信されたＳＲを受信するステップと、
受信したＳＲの数がＳＲ送信の最大数より小さいかどうかを判定するステップと、
受信したＳＲの数がＳＲ送信の最大数より少ない場合には、前記ＳＲを受信した後にアップリンク送信リソースが前記ユーザ機器に割り当てられたかどうかを判定するステップと、
前記ＳＲを受信した後に前記ユーザ機器にどのアップリンク送信リソースも割り当てられない場合には、前記ユーザ機器により送信された別のＳＲが受信されたかどうかを判定するステップと、
前記ユーザ機器により送信された他のＳＲがない場合には、前記ユーザ機器にアップリンク送信リソースを割り当てるステップを飛ばすステップと、
を含む、送信リソースの割当て方法。
【請求項１６】
ユーザ機器により送信されたＳＲを受信するように構成されたＳＲ受信モジュールと、
前記ＳＲ受信モジュールにより受信したＳＲの数がＳＲ送信の最大数より小さいかどうかを判定し、受信したＳＲの数がＳＲ送信の最大数より少ない場合には、前記ＳＲを受信した後にアップリンク送信リソースが前記ユーザ機器に割り当てられているかどうかを判定し、前記ＳＲを受信した後に前記ユーザ機器にどのアップリンク送信リソースも割り当てられていない場合には、前記ユーザ機器により送信された別のＳＲが受信されているかどうかを判定し、前記ユーザ機器により送信された他のＳＲがない場合には、前記ユーザ機器にアップリンク送信リソースを割り当てるステップを飛ばすように構成されたアップリンク送信リソース割当てモジュールと、
を備える、基地局。
【発明の詳細な説明】
【技術分野】
【０００１】
関連出願の記載
本出願は、発明の名称を「データ送信方法ならびに送信リソースの割当ての方法および装置」とした、２０１１年４月２９日に中国国家知識産権局に出願した中国特許出願第２０１１１０１１０７３８．Ｘ号の優先権を主張し、その全体を引用により本明細書に組み込む。
【０００２】
本発明は、無線通信の分野に関し、特に、データ送信方法ならびに送信リソースの割当ての方法および装置に関する。
【背景技術】
【０００３】
従来のロング・ターム・エボリューション（Ｌｏｎｇ  Ｔｅｒｍ  Ｅｖｏｌｕｔｉｏｎ、ＬＴＥ）システムでは、発展型基地局（ｅｖｏｌｖｅｄ  ＮｏｄｅＢ、ｅＮＢ）に接続された全てのユーザ機器（Ｕｓｅｒ  Ｅｑｕｉｐｍｅｎｔ、ＵＥ）はエア・インタフェース・リソースを共有する。即ち、ｅＮＢは、各ＵＥのデータ量と他の情報に従って或る送信時間間隔（Ｔｒａｎｓｍｉｓｓｉｏｎ  Ｔｉｍｅ  Ｉｎｔｅｒｖａｌ、ＴＴＩ）で送信リソースをその下位ＵＥに動的に割り当て、それによりチャネル利用を改善する。
【０００４】
アップリンク・データ・スケジューリングでは、ＵＥはバッファ・ステータス・レポート（Ｂｕｆｆｅｒ  Ｓｔａｔｕｓ  Ｒｅｐｏｒｔ、ＢＳＲ）を送信することによりそのバッファのデータ量をｅＮＢにレポートし、それにより、ｅＮＢがアップリンク・スケジューリングを実施するための参照情報を提供する。ｅＮＢは、全てのＵＥの一定のルール、利用可能なリソース、ＢＳＲ、および他の情報に従って、アップリンク送信リソースをＵＥに割り当てる。
【０００５】
今日では、ＵＥは、ＢＳＲレポート機構およびパケット・データ圧縮プロトコル（Ｐａｃｋｅｔ  Ｄａｔａ  Ｃｏｎｖｅｒｇｅｎｃｅ  Ｐｒｏｔｏｃｏｌ、ＰＤＣＰ）破棄機構と関連がある。
【０００６】
ＢＳＲレポート機構では、送信可能データを有する論理チャネル・グループ（Ｌｏｇｉｃａｌ  Ｃｈａｎｎｅｌ  Ｇｒｏｕｐ、ＬＣＧ）論理チャネルが、ＢＳＲトリガ機構を介して正常なＢＳＲをトリガし、ＢＳＲ送信機構を介してトリガ状態のＢＳＲを送信することができる。ＬＣＧ論理チャネルとは、ＬＧＣに属する論理チャネルを指す。
【０００７】
ＰＤＣＰ破棄機構：
ＵＥのＰＤＣＰエンティティは、送信可能なＰＤＣＰサービス・データ・ユニット（Ｓｅｒｖｉｃｅ  Ｄａｔａ  Ｕｎｉｔ、ＳＤＵ）ごとに破棄タイマ（ｄｉｓｃａｒｄ  Ｔｉｍｅｒ）を開始する。ＰＤＣＰ  ＳＤＵの破棄タイマが切れた場合、ＰＤＣＰエンティティはＰＤＣＰ  ＳＤＵと対応するＰＤＣＰプロトコル・データ・ユニット（Ｐｒｏｔｏｃｏｌ  Ｄａｔａ  Ｕｎｉｔ、ＰＤＵ）とを破棄し、対応する無線リンク制御（Ｒａｄｉｏ  Ｌｉｎｋ  Ｃｏｎｔｒｏｌ、ＲＬＣ）エンティティに当該対応するＲＬＣ  ＳＤＵの破棄を通知する。しかし、ＲＬＣ  ＳＤＵがＲＬＣ  ＰＤＵにアセンブルされている場合、ＲＬＣエンティティはＲＬＣ  ＳＤＵを破棄しない。
【発明の概要】
【発明が解決しようとする課題】
【０００８】
ＢＳＲレポート機構には以下の問題がある。
正常なＢＳＲがトリガされた後、どのアップリンク送信リソースも割り当てられないのでＢＳＲは常にトリガ状態にあるかもしれないが、ＢＳＲをトリガしたＬＣＧ論理チャネル内の送信可能データ、例えばＰＤＣＰ  ＳＤＵおよび対応するＰＤＣＰ  ＰＤＵは、破棄タイマが切れたために破棄されるかもしれない。ＢＳＲはトリガ状態にあるので、ＢＳＲが依然として送信される可能性がある。しかし、ＢＳＲをトリガしたＰＤＣＰ  ＳＤＵと対応するＰＤＣＰ  ＰＤＵとが破棄されるので、この時点でＢＳＲを送信する必要はない。したがって、このケースでは、不要なＢＳＲ送信が行われるおそれがあり、送信リソースが無駄になる。
【課題を解決するための手段】
【０００９】
送信リソースの無駄を減らすために、本発明の諸実施形態では、ＢＳＲおよびＳＲの送信方法、送信リソース割当て方法、ユーザ機器、および基地局を提供する。その技術的解決策は以下の通りである。
【００１０】
バッファ・ステータス・レポートＢＳＲの送信方法が、論理チャネル・グループＬＣＧ論理チャネルが正常なＢＳＲトリガ条件を満たす場合に第１の正常なＢＳＲをトリガし、または、ＢＳＲ再送タイマが切れて何れかのＬＣＧ論理チャネルが送信可能データを有する場合に第２の正常なＢＳＲをトリガするステップと、当該第１の正常なＢＳＲをトリガした当該ＬＣＧ論理チャネルが非送信可能条件を満たす場合に当該第１の正常なＢＳＲをキャンセルし、または、当該第２の正常なＢＳＲがトリガされた後に全てのＬＣＧ論理チャネルが非送信可能条件を満たす場合に当該第２の正常なＢＳＲをキャンセルするステップと、アップリンク送信リソースが現在の送信時間インターバルＴＴＩで利用可能であり、かつ、トリガ状態の当該第１の正常なＢＳＲまたは当該第２の正常なＢＳＲが存在する場合に、当該アップリンク送信リソースを用いることにより、バッファ・ステータス・レポートのメディア・アクセス・コントロール制御要素ＢＳＲ  ＭＡＣ  ＣＥを送信するステップとを含む。
【００１１】
ユーザ機器が、論理チャネル・グループＬＣＧ論理チャネルが正常なＢＳＲトリガ条件を満たす場合に、第１の正常なＢＳＲをトリガし、または、ＢＳＲ再送タイマが切れ何れかのＬＣＧ論理チャネルが送信可能データを有する場合に、第２の正常なＢＳＲをトリガするように構成された正常ＢＳＲトリガ・モジュールと、当該第１の正常なＢＳＲをトリガした当該ＬＣＧ論理チャネルが非送信可能条件を満たす場合に、当該正常ＢＳＲトリガ・モジュールによりトリガされた当該第１の正常なＢＳＲをキャンセルし、または、当該第２の正常なＢＳＲがトリガされた後に全てのＬＣＧ論理チャネルが非送信可能条件を満たす場合に、当該正常ＢＳＲトリガ・モジュールによりトリガされた当該第２の正常なＢＳＲをキャンセルするように構成された正常ＢＳＲキャンセル・モジュールと、アップリンク送信リソースが現在のＴＴＩで利用可能であり、かつ、当該正常ＢＳＲトリガ・モジュールによりトリガされたトリガ状態にある当該第１の正常なＢＳＲまたは当該第２の正常なＢＳＲが存在する場合に、当該アップリンク送信リソースを用いることによりＢＳＲ  ＭＡＣ  ＣＥを送信するように構成された正常ＢＳＲ送信モジュールと、を備える。
【００１２】
スケジューリング要求ＳＲを送信するための方法が、ＬＣＧ論理チャネルが正常なＢＳＲトリガ条件を満たす場合に、第１の正常なＢＳＲをトリガし、または、ＢＳＲ再送タイマが切れ何れかのＬＣＧ論理チャネルが送信可能データを有する場合に、第２の正常なＢＳＲをトリガするステップと、現在のＴＴＩで利用可能であるアップリンク送信リソースがなく、かつ、トリガ状態にある第１の正常なＢＳＲまたは第２の正常なＢＳＲが存在する場合には、ＳＲをトリガするステップと、当該第１の正常なＢＳＲをトリガした当該ＬＣＧ論理チャネルが非送信可能条件を満たす場合に、当該第１の正常なＢＳＲをキャンセルし、または、当該第２の正常なＢＳＲがトリガされた後に全てのＬＣＧ論理チャネルが非送信可能条件を満たす場合に、当該第２の正常なＢＳＲをキャンセルするステップと、全ての正常なＢＳＲがキャンセルされた場合に全てのＳＲをキャンセルするステップと、当該現在のＴＴＩにおいて利用可能なアップリンク送信リソースがなく、かつ、トリガ状態のＳＲが存在する場合には、ＳＲリソースまたはランダム・アクセス手続きを使用することによって当該ＳＲを送信するステップと、を含む。
【００１３】
ユーザ機器が、論理チャネル・グループＬＣＧ論理チャネルが正常なＢＳＲトリガ条件を満たす場合には第１の正常なＢＳＲをトリガし、または、ＢＳＲ再送タイマが切れ、かつ、何れかのＬＣＧ論理チャネルが送信可能データを有する場合には、第２の正常なＢＳＲをトリガするように構成された正常ＢＳＲトリガ・モジュールと、現在のＴＴＩで利用可能であるアップリンク送信リソースがなく、かつ、当該正常ＢＳＲトリガ・モジュールによりトリガされるトリガ状態にある第１の正常なＢＳＲまたは第２の正常なＢＳＲが存在する場合には、ＳＲをトリガするように構成されたＳＲトリガ・モジュールと、当該第１の正常なＢＳＲをトリガした当該ＬＣＧ論理チャネルが非送信可能条件を満たす場合に、当該正常ＢＳＲトリガ・モジュールによりトリガされた当該第１の正常なＢＳＲをキャンセルし、または、当該第２の正常なＢＳＲがトリガされた後に全てのＬＣＧ論理チャネルが非送信可能条件を満たす場合に、当該正常ＢＳＲトリガ・モジュールによりトリガされた当該第２の正常なＢＳＲをキャンセルするように構成された正常ＢＳＲキャンセル・モジュールと、当該正常ＢＳＲトリガ・モジュールによりトリガされた全ての正常ＢＳＲが当該正常ＢＳＲキャンセル・モジュールによりキャンセルされた場合に、当該ＳＲトリガ・モジュールによりトリガされた全てのＳＲをキャンセルするように構成されたＳＲキャンセル・モジュールと、当該現在のＴＴＩにおいて利用可能なアップリンク送信リソースがなく、かつ、当該ＳＲトリガ・モジュールによりトリガされたトリガ状態にあるＳＲが存在する場合には、ＳＲリソースまたはランダム・アクセス手続きを使用することによって当該ＳＲを送信するように構成されたＳＲ送信モジュールと、を備える。
【００１４】
送信リソースの割当て方法が、ユーザ機器により送信されたＳＲを受信するステップと、受信したＳＲの数がＳＲ送信の最大数より小さいかどうかを判定するステップと、受信したＳＲの数がＳＲ送信の最大数より少ない場合には、当該ＳＲを受信した後にアップリンク送信リソースが当該ユーザ機器に割り当てられたかどうかを判定するステップと、当該ＳＲを受信した後に当該ユーザ機器にどのアップリンク送信リソースも割り当てられない場合には、当該ユーザ機器により送信された別のＳＲが受信されたかどうかを判定するステップと、当該ユーザ機器により送信された他のＳＲが受信されない場合には、当該ユーザ機器にアップリンク送信リソースを割り当ないステップと、を含む。
【００１５】
基地局が、ユーザ機器により送信されたＳＲを受信するように構成されたＳＲ受信モジュールと、当該ＳＲ受信モジュールにより受信したＳＲの数がＳＲ送信の最大数より小さいかどうかを判定し、受信したＳＲの数がＳＲ送信の最大数より少ない場合には、当該ＳＲを受信した後にアップリンク送信リソースが当該ユーザ機器に割り当てられたかどうかを判定し、当該ＳＲを受信した後に当該ユーザ機器にどのアップリンク送信リソースも割り当てられない場合には、当該ユーザ機器により送信された別のＳＲが受信されたかどうかを判定し、当該ユーザ機器により送信された他のＳＲが受信されない場合には、当該ユーザ機器にアップリンク送信リソースを割り当てないように構成されたアップリンク送信リソース割当てモジュールと、を備える。
【００１６】
諸実施形態に従ってバッファ・ステータス・レポートを送信するための方法およびユーザ機器を利用することにより、正常なバッファ・ステータス・レポートをトリガする論理チャネル内のデータが非送信可能条件を満たす場合に、当該正常なバッファ・ステータス・レポートはキャンセルされる。したがって、ユーザ機器が無意味なバッファ・ステータス・レポートのメディア・アクセス・コントロール制御要素を生成しバッファ・ステータス・レポートを報告することが回避され、基地局が無意味なバッファ・ステータス・レポートを受信し処理することが回避され、それにより送信リソースが節約される。
【００１７】
諸実施形態に従ってスケジューリング要求を送信する方法およびユーザ機器を使用することにより、正常なバッファ・ステータス・レポートをトリガする論理チャネル内のデータが非送信可能条件を満たす場合に、正常なバッファ・ステータス・レポートとスケジューリング要求がキャンセルされる。したがって、第１に、不要なスケジューリング要求の送信が減り、送信リソースが節約されユーザ機器の電力消費も削減され、スケジューリング要求に起因する他のユーザに対する干渉が減る。第２に、スケジューリング要求の送信失敗（即ち、スケジューリング要求カウンタがスケジューリング要求送信の最大数に達すること）に起因する関連リソースの解放とランダム・アクセス手続きが回避され、それにより、信号送信のオーバヘッドとランダム・アクセスのリソースとが節約される。
【００１８】
諸実施形態に従う送信リソースの割当て方法および基地局を使用することにより、ユーザ機器がＳＲをキャンセルしたと判定でき、さらにユーザ機器の全ての正常なＢＳＲがキャンセルされ当該ＢＳＲを送信する必要がないと推測することができる。したがって、アップリンク送信リソースは当該ユーザ機器に割り当てられず、それにより、アップリンク送信リソースが節約される。
【図面の簡単な説明】
【００１９】
【図１】本発明の１実施形態に従うＢＳＲの送信方法の流れ図である。
【図２】本発明の１実施形態に従うＵＥの略構造図である。
【図３】本発明の１実施形態に従うＳＲの送信方法の流れ図である。
【図４】本発明の１実施形態に従うＵＥの略構造図である。
【図５】本発明の１実施形態に従う送信リソース割当て方法の流れ図である。
【図６】本発明の１実施形態に従う基地局の略構造図である。
【図７】本発明の別実施形態に従うパディングＢＳＲの送信方法の流れ図である。
【図８】本発明の別実施形態に従うパディングＢＳＲの改良された送信方法の流れ図である。
【図９】本発明の１実施形態に従うＵＥの略構造図である。
【図１０】本発明の別実施形態に従う送信リソース割当て方法の流れ図である。
【図１１】本発明の別実施形態に従う基地局の略構造図である。
【発明を実施するための形態】
【００２０】
本発明の諸実施形態の目的、技術的解決策、および利点をより分かりやすくするために、以下では本発明の諸実施形態において添付図面を参照して本発明の諸実施形態における技術的解決策を明確かつ十分に説明する。明らかに、説明した諸実施形態は本発明の諸実施形態の全部ではなく一部にすぎない。創造的な作業なしに本発明の諸実施形態に基づいて当業者により取得される他の全ての諸実施形態は本発明の保護範囲に入るものとする。
【００２１】
図１は、本発明の１実施形態に従うＢＳＲの送信方法の流れ図である。本発明の１実施形態に従うＢＳＲの送信方法は、以下のステップを含む。
【００２２】
ステップＳ１では、ＬＣＧ論理チャネルが正常なＢＳＲトリガ条件を満たす場合に、第１の正常なＢＳＲをトリガし、または、ＢＳＲ再送タイマが切れ、かつ、何れかのＬＣＧ論理チャネルが送信可能データを有する場合に、第２の正常なＢＳＲをトリガする。
【００２３】
本実施形態の１実装形態では、ステップＳ１における「正常なＢＳＲトリガ条件を満たす」とは、ＬＣＧ論理チャネルにおいて、送信可能データの量がゼロから増加するかまたは当該ＬＣＧ論理チャネルの中のデータが送信可能になり、当該ＬＣＧ論理チャネルの優先度が送信可能データを有する他の全てのＬＣＧ論理チャネルの優先度よりも高いという条件を満たすことである。
【００２４】
例えば、ＵＥの複数のＬＣＧ論理チャネルのうち、第１のＬＣＧ論理チャネルにおける送信可能データの量がゼロから増加し、または、第１のＬＣＧ論理チャネルにおけるデータが送信可能となり、他のＬＣＧ論理チャネルの一部または全部も送信可能データを有するが、第１のＬＣＧ論理チャネルの優先度は、送信可能データを有する他のＬＣＧ論理チャネルの優先度よりも高い。このケースでは、ＵＥは第１の正常なＢＳＲをトリガする。
【００２５】
あるいは、少なくとも１つのＢＳＲがトリガされるがキャンセルされないとき、ＵＥは、各ＴＴＩにおいて、何らかのアップリンク送信リソースが現在のＴＴIで利用可能であるかどうかを判定する。アップリンク送信リソースが利用可能である場合には、ＵＥはＢＳＲ再送タイマを開始または再開する。ＢＳＲ再送タイマが切れ、かつ、ＵＥの何らかのＬＣＧ論理チャネルが送信可能データを有すると、ＵＥは第２の正常なＢＳＲをトリガする。
【００２６】
本実施形態の別の実装形態では、ステップＳ１における「正常なＢＳＲトリガ条件を満たす」とは、ＬＣＧ論理チャネルにおいて、送信可能データの量がゼロから増加し、過去にどのＬＣＧ論理チャネルも送信可能データを有さないという条件を満たすことである。
【００２７】
例えば、何らかのＬＣＧ論理チャネル内の送信可能データの量がゼロから増加し、過去にどのＬＣＧ論理チャネルも送信可能データを有さない場合には、ＵＥは第１の正常なＢＳＲをトリガする。
【００２８】
本実施形態の別の実装形態では、ステップＳ１における「正常なＢＳＲトリガ条件を満たす」とは、ＬＣＧ論理チャネルにおいて、送信可能データの量がゼロから増加するかまたはＬＣＧ論理チャネルにおいてデータが送信可能になり、ＬＣＧ論理チャネルの優先度が送信可能データを有する他のＬＣＧ論理チャネルの優先度よりも高いこと、および、ＬＣＧ論理チャネルにおける送信可能データの量がゼロから増加し、かつ、過去にどのＬＣＧ論理チャネルも送信可能データを有さないことの条件のうち何れか１つを満たすことである。具体的には、当該２つの条件のうち何れかが満たされる限り、ＵＥは第１の正常なＢＳＲをトリガする。
【００２９】
ここで、正常なＢＳＲがトリガされた後、当該正常なＢＳＲはトリガ状態にあることに特に留意されたい。当該正常なＢＳＲがトリガされた後、当該正常なＢＳＲをステップＳ１により再度トリガしてもよい。このケースでは、再度トリガされた正常なＢＳＲが、過去にトリガされた正常なＢＳＲをトリガ状態または保留（ｐｅｎｄｉｎｇ）状態に保つと考えてもよく、または、複数の正常なＢＳＲがトリガされると考えてもよい。例えば、ＬＣＧ論理チャネル内のデータが正常なＢＳＲトリガ条件を満たし、トリガされた正常なＢＳＲがキャンセルされないが、別のＬＣＧ論理チャネル内のデータも正常なＢＳＲトリガ条件を満たす。このケースでは、正常なＢＳＲを再度トリガすることでトリガ状態が実際に維持されると考えてもよく、または、２つの正常なＢＳＲがトリガされると考えてもよい。本実施形態および他の諸実施形態の説明は、複数の正常なＢＳＲがトリガされるとの前提に基づいている。
【００３０】
ステップＳ２では、第１の正常なＢＳＲをトリガするＬＣＧ論理チャネルが非送信可能条件を満たす場合に、第１の正常なＢＳＲをキャンセルする。または、第２の正常なＢＳＲがトリガされた後に全てのＬＣＧ論理チャネルのデータが非送信可能条件を満たす場合に、第２の正常なＢＳＲをキャンセルする。
【００３１】
本実施形態の１実装形態では、ステップＳ２における「ＬＣＧ論理チャネルが非送信可能条件を満たす」とは、ＬＣＧ論理チャネルが送信可能データを有さないことである。
【００３２】
例えば、ＬＣＧ論理チャネルが送信可能データを有するとき、ＵＥは送信可能なＰＤＣＰ  ＳＤＵごとに破棄タイマを開始する。ＰＤＣＰ  ＳＤＵの破棄タイマが切れた場合、ＵＥはＰＤＣＰ  ＳＤＵと対応するＰＤＣＰ  ＰＤＵとを破棄し、対応するＲＬＣ  ＳＤＵを破棄する。しかし、ＲＬＣ  ＳＤＵがＲＬＣ  ＰＤＵにアセンブルされている場合には、ＲＬＣ  ＳＤＵは破棄されない。したがって、破棄タイマが切れたためにＬＣＧ論理チャネル内の全てのデータが破棄された場合には、ＬＣＧ論理チャネルは送信可能データを有さない。
【００３３】
ステップＳ１を通じて第１の正常なＬＣＧをトリガする送信可能データをＬＣＧ論理チャネル有さない場合に、第１の正常なＢＳＲはキャンセルされる。
【００３４】
ステップＳ１で第２の正常なＬＣＧがトリガされた後にどのＬＣＧ論理チャネルも送信可能データを有さない場合には、第２の正常なＢＳＲがキャンセルされる。
【００３５】
本実装形態では、ステップＳ２をイベント・トリガ・モードで実行することが好ましいかもしれない。例えば、第１の正常なＢＳＲをトリガするＬＣＧ論理チャネルが非送信可能条件を満たすとき、第１の正常なＢＳＲのキャンセルが自動的にトリガされる。あるいは、第２の正常なＢＳＲがトリガされた後、全てのＬＣＧ論理チャネルが非送信可能条件を満たす場合に、第２の正常なＢＳＲのキャンセルが自動的にトリガされる。
【００３６】
別の実装形態では、ステップＳ２を巡回式判定モードで実行してもよい。例えば、各ＴＴＩにおいて、各ＬＣＧ論理チャネルが非送信可能条件を満たすかどうかを判定する。第１の正常なＢＳＲをトリガするＬＣＧ論理チャネルが非送信可能条件を満たすとき、ＵＥは第１の正常なＢＳＲをキャンセルする。あるいは、第２の正常なＢＳＲがトリガされた後、全てのＬＣＧ論理チャネルが非送信可能条件を満たす場合には、ＵＥは第２の正常なＢＳＲをキャンセルする。
【００３７】
ステップＳ３では、アップリンク送信リソースが現在の送信時間インターバルＴＴＩで利用可能であり、かつ、トリガ状態にある第１の正常なＢＳＲまたは第２の正常なＢＳＲが存在する場合には、当該アップリンク送信リソースを用いることによりＢＳＲ  ＭＡＣ  ＣＥを送信する。
【００３８】
本実施形態の１実装形態では、ステップＳ１でトリガされたがステップＳ２でキャンセルされていない第１の正常なＢＳＲまたは第２の正常なＢＳＲが存在する場合には、ＵＥは、アップリンク送信リソースが各ＴＴＩで利用可能であるかどうかを判定し、利用可能である場合には、ＢＳＲ  ＭＡＣ  ＣＥを構築して送信する。
【００３９】
図２は本発明の１実施形態に従うＵＥの略構造図である。本実施形態におけるＵＥ２０が、図１に示す本発明の実施形態に従ってＢＳＲの送信方法を実装してもよい。図２に示すように、ＵＥ２０は、正常ＢＳＲトリガ・モジュール２１、正常ＢＳＲキャンセル・モジュール２２、および正常ＢＳＲ送信モジュール２３を備えてもよい。
【００４０】
当該正常ＢＳＲトリガ・モジュール２１は、論理チャネル・グループＬＣＧ論理チャネルが正常なＢＳＲトリガ条件を満たす場合に、第１の正常なＢＳＲをトリガし、または、ＢＳＲ再送タイマが切れ、かつ、何れかのＬＣＧ論理チャネルが送信可能データを有する場合に、第２の正常なＢＳＲをトリガするように構成される。
【００４１】
本実施形態の１実装形態では、ＬＣＧ論理チャネルが正常なＢＳＲトリガ条件を満たす場合に第１の正常なＢＳＲをトリガするように構成されている正常ＢＳＲトリガ・モジュール２１は、特に、当該ＬＣＧ論理チャネルにおいて、送信可能データの量がゼロから増加するかまたは当該ＬＣＧ論理チャネルの中のデータが送信可能になり、当該ＬＣＧ論理チャネルの優先度が送信可能データを有する他の全てのＬＣＧ論理チャネルの優先度よりも高いこと、当該ＬＣＧ論理チャネルにおいて、送信可能データの量がゼロから増加し、過去にどのＬＣＧ論理チャネルも送信可能データを有さないこと、の条件のうち何れか１つを当該ＬＣＧ論理チャネルが満たす場合に当該第１の正常なＢＳＲをトリガするように構成されている正常ＢＳＲトリガ・モジュールを備える。
【００４２】
当該正常ＢＳＲキャンセル・モジュールは、第１の正常なＢＳＲをトリガするＬＣＧ論理チャネルが非送信可能条件を満たす場合に、当該正常ＢＳＲトリガ・モジュールによりトリガされた第１の正常なＢＳＲをキャンセルし、または、第２の正常なＢＳＲがトリガされた後に全てのＬＣＧ論理チャネルが非送信可能条件を満たす場合に、当該正常ＢＳＲトリガ・モジュールによりトリガされた第２の正常なＢＳＲをキャンセルするように構成される。
【００４３】
本実施形態の１実装形態では、当該正常ＢＳＲキャンセル・モジュール２２は、特に、第１の正常なＢＳＲをトリガしたＬＣＧ論理チャネルが送信可能データを有さない場合には、当該正常ＢＳＲトリガ・モジュールによりトリガされた第１の正常なＢＳＲをキャンセルし、または、第２の正常なＢＳＲがトリガされた後にどのＬＣＧ論理チャネルも送信可能データを有しない場合には、当該正常ＢＳＲトリガ・モジュールによりトリガされた第２の正常なＢＳＲをキャンセルするように構成される。
【００４４】
正常ＢＳＲ送信モジュール２３は、アップリンク送信リソースが現在のＴＴＩで利用可能であり、かつ、当該正常ＢＳＲトリガ・モジュールによりトリガされたトリガ状態にある当該第１の正常なＢＳＲまたは当該第２の正常なＢＳＲが存在する場合に、当該アップリンク送信リソースを用いることにより、ＢＳＲ  ＭＡＣ  ＣＥを送信するように構成される。
【００４５】
上述の諸実施形態により提供したＢＳＲの送信方法とＵＥとを用いることにより、ＢＳＲをトリガしたＬＣＧ論理チャネル内のデータが非送信可能条件を満たすか、または、どのＬＣＧ論理チャネルも送信可能データを有さない場合に、対応する正常なＢＳＲがキャンセルされる。したがって、ＵＥが無意味なＢＳＲ  ＭＡＣ  ＣＥを生成しＢＳＲを報告することが回避され、基地局が無意味なＢＳＲを受信し処理することが回避され、それにより送信リソースが節約される。
【００４６】
図３は、本発明の１実施形態に従うＳＲの送信方法の流れ図である。本発明の１実施形態に従うＳＲの送信方法は、以下のステップを含む。
【００４７】
ステップＳ１１では、ＬＣＧ論理チャネルが正常なＢＳＲトリガ条件を満たす場合に、第１の正常なＢＳＲをトリガし、または、ＢＳＲ再送タイマが切れ、かつ、何れかのＬＣＧ論理チャネルが送信可能データを有する場合に、第２の正常なＢＳＲをトリガする。
ステップＳ１１はステップＳ１と同じであるので、本明細書ではこれ以上説明しない。
【００４８】
ステップＳ１２では、現在のＴＴＩで利用可能であるアップリンク送信リソースがなく、トリガ状態にある第１の正常なＢＳＲまたは第２の正常なＢＳＲが存在する場合には、ＳＲをトリガする。
【００４９】
本実施形態の１実装形態では、正常なＢＳＲがトリガされているがキャンセルされていない場合に、ＵＥは、各ＴＴＩにおいて、アップリンク送信リソースが現在のＴＴＩで利用可能かどうかを判定し、どのアップリンク送信リソースも利用可能でない場合には、ＵＥはＳＲをトリガする。正常なＢＳＲが対応するＳＲをトリガしてもよい。例えば、正常なＢＳＲが対応するＳＲをトリガした後、別のＢＳＲが、他のＢＳＲに対応するＳＲをトリガしてもよい。
【００５０】
本実施形態の１実装形態では、正常なＢＳＲがトリガされているがキャンセルされていない場合に、ＵＥは、各ＴＴＩにおいて、アップリンク送信リソースが現在のＴＴＩで利用可能かどうかを判定し、どのアップリンク送信リソースも利用可能でない場合には、ＵＥはＳＲをトリガする。１つまたは複数のＢＳＲが存在するかどうかに関わらず、高々１つのＳＲをトリガすることができる。例えば、正常なＢＳＲがＳＲをトリガした後に、別のＢＳＲは、トリガされたＳＲをトリガ状態または保留状態に保つのみで新たなＳＲを再度トリガすることはない。
【００５１】
ステップＳ１３では、第１の正常なＢＳＲをトリガしたＬＣＧ論理チャネルが非送信可能条件を満たす場合に第１の正常なＢＳＲをキャンセルするか、または、第２の正常なＢＳＲがトリガされた後に全てのＬＣＧ論理チャネルが非送信可能条件を満たす場合に第２の正常なＢＳＲをキャンセルする。
【００５２】
本実施形態の１実装形態では、ステップＳ１３における「ＬＣＧ論理チャネルが非送信可能条件を満たす」とは、ＬＣＧ論理チャネルが送信可能データを有さないことである。ステップＳ１３の詳細な説明はステップＳ２と同じであるので、本明細書ではこれ以上は説明しない。
【００５３】
ステップＳ１４では、全ての正常なＢＳＲがキャンセルされた場合に、全てのＳＲをキャンセルする。
【００５４】
本実施形態の１実装形態では、トリガされたＳＲは正常なＢＳＲと１対１に対応する。正常なＢＳＲのうち１つがキャンセルされた場合、キャンセルされた正常なＢＳＲに対応するＳＲがキャンセルされる。または、同時もしくは順番に全ての正常なＢＳＲがキャンセルされた場合、全てのＳＲがキャンセルされる。
【００５５】
本実施形態の１実装形態では、１つのＳＲのみが全ての正常なＢＳＲに対応し、全ての正常なＢＳＲが同時または順番にキャンセルされたとき、ＳＲがキャンセルされる。
【００５６】
ステップＳ２と同様に、ステップＳ１４を、イベント・トリガ・モードまたは巡回式判定モードで実行してもよい。
【００５７】
ステップＳ１５では、当該現在のＴＴＩにおいて利用可能なアップリンク送信リソースがなく、かつ、トリガ状態のＳＲが存在する場合には、ＳＲリソースまたはランダム・アクセス手続きを使用することによって当該ＳＲを送信する。
【００５８】
本実施形態の１実装形態では、トリガされているがキャンセルされていないＳＲが存在する場合には、ＵＥは各ＴＴＩにおいて以下のステップを実行する。
【００５９】
ステップＡでは、当該現在のＴＴＩにおいて利用可能なアップリンク送信リソースがない場合に、ステップＢを実行する。
【００６０】
ステップＢでは、上位層がＳＲリソースで構成されていない場合には、ランダム・アクセス手続きをトリガする。または、上位層がＳＲリソースで構成されている場合には、ステップＣを実行する。
【００６１】
ステップＣでは、構成されたＳＲリソースが現在のＴＴＩで利用可能であり、ＳＲ禁止タイマ（ｓｒ−ＰｒｏｈｉｂｉｔＴｉｍｅｒ）が実行しておらず、かつ、ＳＲカウンタ（ＳＲ＿ＣＯＵＮＴＥＲ）がＳＲ送信の最大数（ｄｓｒ−ＴｒａｎｓＭａｘ）より小さい場合には、ステップＤを実行する。または、構成されたＳＲリソースが現在のＴＴＩで利用可能であり、ＳＲ禁止タイマが実行していないが、ＳＲカウンタがＳＲ送信の最大数に等しい場合には、ステップＥを実行する。
【００６２】
ステップＤでは、ＳＲカウンタに１を加え、構成されたＳＲリソースでＳＲを送信し、ＳＲ禁止タイマを開始する。
【００６３】
ステップＥでは、関連する構成リソースの解放をＲＲＣに通知し、全てのトリガされたＳＲをキャンセルし、ランダム・アクセス手続きを開始する。
【００６４】
図４は、本発明の１実施形態に従うＵＥの略構造図である。本実施形態におけるＵＥ４０が、図３に示す本発明の実施形態に従うＳＲの送信方法を実装してもよい。図４に示すように、ＵＥ４０は正常ＢＳＲトリガ・モジュール４１、ＳＲトリガ・モジュール４２、正常ＢＳＲキャンセル・モジュール４３、ＳＲキャンセル・モジュール４４、およびＳＲ送信モジュール４５を備えてもよい。
【００６５】
当該正常ＢＳＲトリガ・モジュール４１は、論理チャネル・グループＬＣＧ論理チャネルが正常なＢＳＲトリガ条件を満たす場合には第１の正常なＢＳＲをトリガし、または、ＢＳＲ再送タイマが切れ、かつ、何れかのＬＣＧ論理チャネルが送信可能データを有する場合には第２の正常なＢＳＲをトリガするように構成される。
【００６６】
本実施形態の１実装形態では、ＬＣＧ論理チャネルが正常なＢＳＲトリガ条件を満たす場合に第１の正常なＢＳＲをトリガするように構成された正常ＢＳＲトリガ・モジュールは、特に、当該ＬＣＧ論理チャネルにおいて、送信可能データの量がゼロから増加するかまたは当該ＬＣＧ論理チャネルの中のデータが送信可能になり、当該ＬＣＧ論理チャネルの優先度が送信可能データを有する他の全てのＬＣＧ論理チャネルの優先度よりも高いこと、当該ＬＣＧ論理チャネルにおいて、送信可能データの量がゼロから増加し、過去にどのＬＣＧ論理チャネルも送信可能データを有さないこと、の条件のうち何れか１つを当該ＬＣＧ論理チャネルが満たす場合に当該第１の正常なＢＳＲをトリガするように構成されている正常ＢＳＲトリガ・モジュールを備える。
【００６７】
ＳＲトリガ・モジュール４２は、現在のＴＴＩで利用可能であるアップリンク送信リソースがなく、当該正常ＢＳＲトリガ・モジュールによりトリガされたトリガ状態にある第１の正常なＢＳＲまたは第２の正常なＢＳＲが存在する場合には、ＳＲをトリガするように構成される。
【００６８】
正常ＢＳＲキャンセル・モジュール４３は、第１の正常なＢＳＲをトリガするＬＣＧ論理チャネルが非送信可能条件を満たす場合に、当該正常ＢＳＲトリガ・モジュールによりトリガされた第１の正常なＢＳＲをキャンセルし、または、第２の正常なＢＳＲがトリガされた後に全てのＬＣＧ論理チャネルが非送信可能条件を満たす場合には、当該正常ＢＳＲトリガ・モジュールによりトリガされた第２の正常なＢＳＲをキャンセルするように構成される。
【００６９】
本実施形態の１実装形態では、正常ＢＳＲキャンセル・モジュール４３は、特に、第１の正常なＢＳＲをトリガしたＬＣＧ論理チャネルが送信可能データを有さない場合には、当該正常ＢＳＲトリガ・モジュールによりトリガされた第１の正常なＢＳＲをキャンセルし、または、第２の正常なＢＳＲがトリガされた後にどのＬＣＧ論理チャネルも送信可能データを有しない場合には、当該正常ＢＳＲトリガ・モジュールによりトリガされた第２の正常なＢＳＲをキャンセルするように構成される。
【００７０】
ＳＲキャンセル・モジュール４４は、正常ＢＳＲトリガ・モジュールによりトリガされた全ての正常なＢＳＲが当該正常ＢＳＲキャンセル・モジュールによりキャンセルされた場合には、ＳＲトリガ・モジュールによりトリガされた全てのＳＲをキャンセルするように構成される。
【００７１】
本実施形態の１実装形態では、ＳＲは、当該ＳＲをトリガした正常なＢＳＲと１対１に対応する。ＳＲキャンセル・モジュールは、特に、各正常なＢＳＲがキャンセルされた後に対応するＳＲをキャンセルするように構成される。
【００７２】
ＳＲ送信モジュール４５は、現在のＴＴＩにおいて利用可能なアップリンク送信リソースがなく、ＳＲトリガ・モジュール４２によりトリガされたトリガ状態のＳＲが存在する場合には、ＳＲリソースまたはランダム・アクセス手続きを使用することによって当該ＳＲを送信するように構成される。
【００７３】
以上の諸実施形態で提供したＳＲの送信方法とＵＥを使用することによって、正常なＢＳＲをトリガした論理チャネル内のデータが非送信可能条件を満たす場合には、ＢＳＲとＳＲがキャンセルされる。したがって、第１に、不要なＳＲの送信が減り、ＵＥの電力消費も削減され、他のユーザに対する干渉が減る。第２に、ＳＲの送信失敗（即ち、ＳＲカウンタがＳＲ送信の最大数に達すること）に起因する関連リソースの解放とランダム・アクセス手続きが回避され、それにより、信号送信のオーバヘッドとランダム・アクセスのリソースとが節約される。さらに、より有益な効果が後の他の実装に反映される。
【００７４】
図５は、本発明の１実施形態に従う送信リソース割当て方法の流れ図である。当該送信リソース割当て方法は、以下のステップを含む。
【００７５】
ステップ２１では、ユーザ機器により送信されたＳＲを受信する。
【００７６】
ステップ２２では、受信したＳＲの数がＳＲ送信の最大数より小さいかどうかを判定する。
【００７７】
ステップ２３では、受信したＳＲの数がＳＲ送信の最大数より小さい場合に、当該ＳＲを受信した後にアップリンク送信リソースがユーザ機器に割り当てられているかどうかを判定する。
【００７８】
ステップ２４では、ＳＲを受信した後にユーザ機器にどのアップリンク送信リソースも割り当てられない場合に、ユーザ機器により送信された別のＳＲが受信されたかどうかを判定する。
【００７９】
ステップ２５では、ユーザ機器により送信された他のＳＲが受信されなかった場合には、アップリンク送信リソースをユーザ機器に割り当てない。
【００８０】
具体的には、ＵＥにより送信されたＳＲを基地局が受信し、受信したＳＲの数がＳＲ送信の最大数より小さい場合には、基地局は当該ＳＲに応答し、アップリンク送信リソースをＵＥに割り当てるべきである。しかし、リソース割当て規則の制限のような理由のため、ＵＥに割り当てられたアップリンク送信リソースがなく、ＵＥにより送信されたＳＲが後に受信されなかった場合には、ＵＥのＳＲがキャンセルされたこと、即ち、データが破棄されたためまたは他の理由のためにＵＥが送信可能データを有さないこと、このケースでは、ＵＥにどのアップリンク送信リソースも割り当てられないことが示される。
【００８１】
図６は、本発明の１実施形態に従う基地局の略構造図である。本実施形態における基地局６０が、図５に示すように本発明の実施形態により提供した送信リソース割当て方法を実装してもよい。図６に示すように、基地局６０はＳＲ受信モジュール６１とアップリンク送信リソース割当てモジュール６２を備えてもよい。
【００８２】
ＳＲ受信モジュール６１は、ユーザ機器が送信したＳＲを受信するように構成される。
【００８３】
アップリンク送信リソース割当てモジュール６２は、ＳＲ受信モジュール６１が受信したＳＲの数がＳＲ送信の最大数より小さいかどうかを判定し、受信したＳＲの数がＳＲ送信の最大数より小さい場合には、当該ＳＲを受信した後にアップリンク送信リソースがユーザ機器に割り当てられるかどうかを判定し、ＳＲを受信した後にユーザ機器にどのアップリンク送信リソースも割り当てられない場合には、ユーザ機器により送信された別のＳＲが受信されたかどうかを判定し、ユーザ機器が送信した他のＳＲが受信されなかった場合には、アップリンク送信リソースをユーザ機器に割り当てないように構成される。
【００８４】
以上の諸実施形態により提供した送信リソース割当て方法および基地局は、ＵＥにより送信されたＳＲのキャンセルに従って、データ破棄のような理由のためにＵＥが送信可能データを有さず、アップリンク送信リソースをＵＥに割り当てないと判定することができ、それにより、ＰＤＣＣＨおよびＰＵＳＣＨリソースが節約される。
【００８５】
図７は、本発明の別実施形態に従うパディング（Ｐａｄｄｉｎｇ）ＢＳＲを送信するための方法の流れ図である。本実施形態に従うパディングＢＳＲの送信方法は、以下のステップを含む。
【００８６】
ステップＳ３１では、パディングＢＳＲトリガ条件が満たされる場合に、パディングＢＳＲをトリガする。
【００８７】
本実施形態の１実装形態では、「パディングＢＳＲトリガ条件」とは、残りのアップリンク送信リソースがＢＳＲ  ＭＡＣ  ＣＥとそのサブヘッダを含むことができるときに、パディングＢＳＲをトリガすることである。
【００８８】
ステップＳ３２では、アップリンク送信リソースが現在のＴＴＩで利用可能であり、ＴＴＩにおいて割り当てられたアップリンク送信リソースがＵＥの全ての送信可能データ量を含むことができるが残りのリソースがＢＳＲ  ＭＡＣ  ＣＥとそのサブヘッダを含むことができない場合に、トリガされたパディングＢＳＲをキャンセルすることができる。
【００８９】
ステップＳ３３では、アップリンク送信リソースが現在のＴＴＩで利用可能であり、トリガ状態のパディングＢＳＲが存在する場合には、アップリンク送信リソースを用いてパディングＢＳＲを送信する。
【００９０】
ステップＳ３２は、ＴＴＩにおいて割り当てられたアップリンク送信リソースがＵＥの全ての送信可能データ量を含むことができるが、残りのリソースがＢＳＲ  ＭＡＣ  ＣＥとそのサブヘッダを含むことができる場合に、どのトリガされたＢＳＲもキャンセルされないことを意味する。しかし、アップリンク送信リソースを用いることによってＵＥの全ての送信可能データが送信されているので、実際にはＢＳＲを送信する必要はない。
【００９１】
このことを考慮して、本発明の別の実施形態では、パディングＢＳＲの送信方法を提供する。図８は、本発明の別実施形態に従うパディングＢＳＲの改良された送信方法の流れ図である。当該方法は以下のステップを含む。
【００９２】
ステップＳ４１では、パディングＢＳＲトリガ条件が満たされる場合に、パディングＢＳＲをトリガする。
【００９３】
本実施形態の１実装形態では、「パディングＢＳＲトリガ条件」とは、残りのアップリンク送信リソースがＢＳＲ  ＭＡＣ  ＣＥとそのサブヘッダを含むことができるときにパディングＢＳＲをトリガすることである。
【００９４】
ステップＳ４２では、アップリンク送信リソースが現在利用可能であり、ＴＴＩにおいて割り当てられたアップリンク送信リソースがＵＥの全ての送信可能データ量を含むことができる場合に、全てのトリガされたＢＳＲをキャンセルする。
【００９５】
ステップＳ４３では、アップリンク送信リソースが現在のＴＴＩで利用可能であり、トリガ状態のパディングＢＳＲが存在する場合に、アップリンク送信リソースを用いてパディングＢＳＲを送信する。
【００９６】
図９は、本発明の１実施形態に従うＵＥの略構造図である。本実施形態におけるＵＥ９０が、図８に示す本発明の実施形態に従うパディングＢＳＲの送信方法を実装してもよい。図９に示すように、ＵＥ９０はパディングＢＳＲトリガ・モジュール９１、パディングＢＳＲキャンセル・モジュール９２、およびパディングＢＳＲ送信モジュール９３を備えてもよい。
【００９７】
パディングＢＳＲトリガ・モジュール９１は、パディングＢＳＲトリガ条件が満たされた場合にパディングＢＳＲをトリガするように構成される。
【００９８】
パディングＢＳＲキャンセル・モジュール９２は、アップリンク送信リソースが現在利用可能であり、ＴＴＩにおいて割り当てられたアップリンク送信リソースＵＥの全ての送信可能データ量を含むことができる場合に、パディングＢＳＲトリガ・モジュールによりトリガされたパディングＢＳＲをキャンセルするように構成される。
【００９９】
パディングＢＳＲ送信モジュール９３は、アップリンク送信リソースが現在のＴＴＩで利用可能であり、パディングＢＳＲトリガ・モジュールによりトリガされたトリガ状態のパディングＢＳＲが存在する場合に、アップリンク送信リソースを用いてパディングＢＳＲを送信する。
【０１００】
アップリンク送信リソースが現在利用可能でありＴＴＩにおいて割り当てられたアップリンク送信リソースがＵＥの全ての送信可能データ量を含むことができる場合に、上述の諸実施形態で提供したパディングＢＳＲの送信方法およびＵＥが、トリガされたＢＳＲをキャンセルするので、不要なデータ送信が減る。
【０１０１】
図１０は、本発明の１実施形態に従う送信リソース割当て方法の流れ図である。当該送信リソース割当て方法は以下のステップを含む。
【０１０２】
ステップ５１では、ＵＥが送信したＭＡＣ  ＰＤＵを受信する。
【０１０３】
ステップ５２では、ＭＡＣ  ＰＤＵのパディング・ビットがＢＳＲ  ＭＡＣ  ＣＥとそのサブヘッダを含むことができるがＢＳＲ  ＭＡＣ  ＣＥを含まない場合に、アップリンク送信リソースを再度ＵＥに割り当てない。
【０１０４】
図１１は、本発明の別実施形態に従う基地局の略構造図である。本実施形態における基地局１１０が、図１０に示す本発明の実施形態に従って送信リソース割当て方法を実装してもよい。図１１に示すように、基地局１１０はＭＡＣ  ＰＤＵ受信モジュール１１１とパディングＢＳＲ解析モジュール１１２を備えてもよい。
【０１０５】
ＭＡＣ  ＰＤＵ受信モジュール１１１は、ＵＥにより送信されたＭＡＣ  ＰＤＵを受信するように構成される。
【０１０６】
パディングＢＳＲ解析モジュール１１２は、ＭＡＣ  ＰＤＵのパディング・ビットがＢＳＲ  ＭＡＣ  ＣＥとそのサブヘッダを含むことができるがＢＳＲ  ＭＡＣ  ＣＥを含まない場合に、アップリンク送信リソースを再度ＵＥに割り当てないように構成される。
【０１０７】
上述の諸実施形態により提供される送信リソース割当て方法および基地局が、ＭＡＣ  ＰＤＵのパディング・ビットがＢＳＲ  ＭＡＣ  ＣＥとそのサブヘッダを含むことができるがＢＳＲ  ＭＡＣ  ＣＥを含まないケースに従って、ＵＥのデータが完全に送信されておりアップリンク送信リソースが再度ＵＥに割り当てられると判定するので、追加のアップリンク送信リソースの割当てが減る。
【０１０８】
最後に、上述の諸実施形態で提供した方法のステップの全部または一部を、関連するハードウェアに指示するプログラムにより実装してもよいことは当業者には理解される。当該プログラムをコンピュータ読取可能記憶媒体に格納してもよい。当該プログラムを実行すると、当該プログラムは上述の任意の実施形態で特定した方法のステップを実行する。当該記憶媒体は、磁気ディスク、ＣＤ−ＲＯＭ、ＲＯＭ（ｒｅａｄ−ｏｎｌｙ  ｍｅｍｏｒｙ）、またはＲＡＭ（ｒａｎｄｏｍ  ａｃｃｅｓｓ  ｍｅｍｏｒｙ）であってもよい。
【０１０９】
本発明の諸実施形態における全ての機能ユニットを処理モジュールに統合してもよく、または、各機能ユニットが物理的に単体で存在し、または、複数のユニットを１つのモジュールに統合してもよい。統合されたモジュールを、ハードウェアの形で実装してもよく、または、ソフトウェア機能モジュールの形で実装してもよい。統合されたモジュールをソフトウェア機能モジュールの形で実装し独立な製品として販売または使用するとき、統合されたモジュールをコンピュータ読取可能記憶媒体に格納してもよい。当該記憶媒体は、読取専用メモリ、磁気ディスク、またはＣＤ−ＲＯＭであってもよい。上述の装置およびシステムが、諸実施形態の方法で説明した方法を実施してもよい。
【０１１０】
以上の説明は、本発明の例示的な諸実施形態にすぎず、本発明を限定しようとするものではない。本発明の趣旨と原理において導出される任意の修正、均等な置換え、または改良は本発明の保護範囲に入るものとする。
【符号の説明】
【０１１１】
２１  正常ＢＳＲトリガ・モジュール
２２  正常ＢＳＲキャンセル・モジュール
２３  正常ＢＳＲ送信モジュール
４１  正常ＢＳＲトリガ・モジュール
４２  ＳＲトリガ・モジュール
４３  正常ＢＳＲキャンセル・モジュール
４４  ＳＲキャンセル・モジュール
４５  ＳＲ送信モジュール
６１  ＳＲ受信モジュール
６２  アップリンク送信リソース割当てモジュール
９１  パディングＢＳＲトリガ・モジュール
９２  パディングＢＳＲキャンセル・モジュール
９３  パディングＢＳＲ送信モジュール
１１１  ＭＡＣ  ＰＤＵ受信モジュール
１１２  パディングＢＳＲ解析モジュール
【図１】
2014512782.tif 000003
【図２】
2014512782.tif 000004
【図３】
2014512782.tif 000005
【図４】
2014512782.tif 000006
【図５】
2014512782.tif 000007
【図６】
2014512782.tif 000008
【図７】
2014512782.tif 000009
【図８】
2014512782.tif 000010
【図９】
2014512782.tif 000011
【図１０】
2014512782.tif 000012
【図１１】
2014512782.tif 000013
【手続補正書】
【提出日】平成25年11月11日(2013.11.11)
【手続補正１】
【補正対象書類名】特許請求の範囲
【補正対象項目名】全文
【補正方法】変更
【補正の内容】
【特許請求の範囲】
【請求項１】
論理チャネル・グループ（ＬＣＧ）論理チャネルが正常なＢＳＲトリガ条件を満たす場合に第１の正常なＢＳＲをトリガし、または、ＢＳＲ再送タイマが切れて何れかのＬＣＧ論理チャネルが送信可能データを有する場合に第２の正常なＢＳＲをトリガするステップと、
前記第１の正常なＢＳＲをトリガする前記ＬＣＧ論理チャネルが非送信可能条件を満たす場合に前記第１の正常なＢＳＲをキャンセルし、または、前記第２の正常なＢＳＲがトリガされた後に全てのＬＣＧ論理チャネルが非送信可能条件を満たす場合に前記第２の正常なＢＳＲをキャンセルするステップと、
アップリンク送信リソースが現在の送信時間インターバルＴＴＩで利用可能であり、かつ、トリガ状態の前記第１の正常なＢＳＲまたは前記第２の正常なＢＳＲが存在する場合に、前記アップリンク送信リソースを用いることにより、バッファ・ステータス・レポートのメディア・アクセス・コントロール制御要素（ＢＳＲ  ＭＡＣ  ＣＥ）を送信するステップと、
を含む、バッファ・ステータス・レポート（ＢＳＲ）を送信するための方法。
【請求項２】
前記ＬＣＧ論理チャネルにより前記正常なＢＳＲトリガ条件を満たすことは、
前記ＬＣＧ論理チャネルにおいて、送信可能データの量がゼロから増加するかまたは前記ＬＣＧ論理チャネルの中のデータが送信可能になり、前記ＬＣＧ論理チャネルの優先度が送信可能データを有する他の全てのＬＣＧ論理チャネルの優先度よりも高いこと、
前記ＬＣＧ論理チャネルにおいて、送信可能データの量がゼロから増加し、過去にどのＬＣＧ論理チャネルも送信可能データを有さないこと、
の条件のうち何れか１つを満たすことである、請求項１に記載の方法。
【請求項３】
前記ＬＣＧ論理チャネルにより非送信可能条件を満たすことは、前記ＬＣＧ論理チャネルが送信可能データを有さないことである、請求項１または２に記載の方法。
【請求項４】
ＬＣＧ論理チャネルが正常なＢＳＲトリガ条件を満たす場合に、第１の正常なＢＳＲをトリガし、または、ＢＳＲ再送タイマが切れ何れかのＬＣＧ論理チャネルが送信可能データを有する場合に、第２の正常なＢＳＲをトリガするように構成された正常ＢＳＲトリガ・モジュールと、
前記第１の正常なＢＳＲをトリガする前記ＬＣＧ論理チャネルが非送信可能条件を満たす場合に、前記正常ＢＳＲトリガ・モジュールによりトリガされた前記第１の正常なＢＳＲをキャンセルし、または、前記第２の正常なＢＳＲがトリガされた後に全てのＬＣＧ論理チャネルが非送信可能条件を満たす場合に、前記正常ＢＳＲトリガ・モジュールによりトリガされた前記第２の正常なＢＳＲをキャンセルするように構成された正常ＢＳＲキャンセル・モジュールと、
アップリンク送信リソースが現在のＴＴＩで利用可能であり、かつ、前記正常ＢＳＲトリガ・モジュールによりトリガされたトリガ状態にある前記第１の正常なＢＳＲまたは前記第２の正常なＢＳＲが存在する場合に、前記アップリンク送信リソースを用いることによりＢＳＲ  ＭＡＣ  ＣＥを送信するように構成された正常ＢＳＲ送信モジュールと、
を備える、ユーザ機器。
【請求項５】
前記ＬＣＧ論理チャネルが前記正常なＢＳＲトリガ条件を満たす場合に前記第１の正常なＢＳＲをトリガするように構成された前記正常ＢＳＲトリガ・モジュールは、特に、
前記ＬＣＧ論理チャネルにおいて、送信可能データの量がゼロから増加するかまたは前記ＬＣＧ論理チャネルの中のデータが送信可能になり、前記ＬＣＧ論理チャネルの優先度が送信可能データを有する他の全てのＬＣＧ論理チャネルの優先度よりも高いこと、
前記ＬＣＧ論理チャネルにおいて、送信可能データの量がゼロから増加し、過去にどのＬＣＧ論理チャネルも送信可能データを有さないこと、
の条件のうち何れか１つを前記ＬＣＧ論理チャネルが満たす場合に前記第１の正常なＢＳＲをトリガするように構成されている正常ＢＳＲトリガ・モジュールを備える、請求項４に記載のユーザ機器。
【請求項６】
前記正常ＢＳＲキャンセル・モジュールは特に、
前記第１の正常なＢＳＲをトリガする前記ＬＣＧ論理チャネルが送信可能データを有さない場合に、前記正常ＢＳＲトリガ・モジュールによりトリガされた前記第１の正常なＢＳＲをキャンセルし、または、前記第２の正常なＢＳＲがトリガされた後にどのＬＣＧ論理チャネルも送信可能データを有さない場合に、前記正常ＢＳＲトリガ・モジュールによりトリガされた前記第２の正常なＢＳＲをキャンセルするように構成される、請求項４または５に記載のユーザ機器。
【請求項７】
ＬＣＧ論理チャネルが正常なＢＳＲトリガ条件を満たす場合に第１の正常なＢＳＲをトリガし、または、ＢＳＲ再送タイマが切れ何れかのＬＣＧ論理チャネルが送信可能データを有する場合に、第２の正常なＢＳＲをトリガするステップと、
現在のＴＴＩで利用可能であるアップリンク送信リソースがなく、かつ、トリガ状態にある前記第１の正常なＢＳＲまたは前記第２の正常なＢＳＲが存在する場合には、ＳＲをトリガするステップと、
前記第１の正常なＢＳＲをトリガする前記ＬＣＧ論理チャネルが非送信可能条件を満たす場合に前記第１の正常なＢＳＲをキャンセルし、または、前記第２の正常なＢＳＲがトリガされた後に全てのＬＣＧ論理チャネルが非送信可能条件を満たす場合に、前記第２の正常なＢＳＲをキャンセルするステップと、
全ての正常なＢＳＲがキャンセルされた場合に全てのＳＲをキャンセルするステップと、
前記現在のＴＴＩにおいて利用可能なアップリンク送信リソースがなく、かつ、トリガ状態のＳＲが存在する場合には、ＳＲリソースまたはランダム・アクセス手続きを使用することによって前記ＳＲを送信するステップと、
を含む、スケジューリング要求（ＳＲ）を送信するための方法。
【請求項８】
前記ＬＣＧ論理チャネルにより前記正常なＢＳＲトリガ条件を満たすことは、
前記ＬＣＧ論理チャネルにおいて、送信可能データの量がゼロから増加するかまたは前記ＬＣＧ論理チャネルの中のデータが送信可能になり、前記ＬＣＧ論理チャネルの優先度が送信可能データを有する他の全てのＬＣＧ論理チャネルの優先度よりも高いこと、
前記ＬＣＧ論理チャネルにおいて、送信可能データの量がゼロから増加し、過去にどのＬＣＧ論理チャネルも送信可能データを有さないこと、
の条件のうち何れか１つを満たすことである、請求項７に記載の方法。
【請求項９】
前記ＬＣＧ論理チャネルにより非送信可能条件を満たすことは、前記ＬＣＧ論理チャネルが送信可能データを有さないことである、請求項７または８に記載の方法。
【請求項１０】
前記ＳＲは、前記ＳＲをトリガする前記第１の正常なＢＳＲまたは前記第２の正常なＢＳＲと１対１に対応し、
全ての正常なＢＳＲがキャンセルされた場合に全てのＳＲをキャンセルするステップは、特に、各正常なＢＳＲがキャンセルされた後に対応するＳＲをキャンセルするステップを含む、請求項７乃至９の何れか１項に記載の方法。
【請求項１１】
論理チャネル・グループＬＣＧ論理チャネルが正常なＢＳＲトリガ条件を満たす場合には第１の正常なＢＳＲをトリガし、または、ＢＳＲ再送タイマが切れ、かつ、何れかのＬＣＧ論理チャネルが送信可能データを有する場合には、第２の正常なＢＳＲをトリガするように構成された正常ＢＳＲトリガ・モジュールと、
現在のＴＴＩで利用可能であるアップリンク送信リソースがなく、かつ、前記正常ＢＳＲトリガ・モジュールによりトリガされたトリガ状態にある前記第１の正常なＢＳＲまたは前記第２の正常なＢＳＲが存在する場合には、ＳＲをトリガするように構成されたＳＲトリガ・モジュールと、
前記第１の正常なＢＳＲをトリガする前記ＬＣＧ論理チャネルが非送信可能条件を満たす場合に、前記正常ＢＳＲトリガ・モジュールによりトリガされた前記第１の正常なＢＳＲをキャンセルし、または、前記第２の正常なＢＳＲがトリガされた後に全てのＬＣＧ論理チャネルが非送信可能条件を満たす場合に、前記正常ＢＳＲトリガ・モジュールによりトリガされた前記第２の正常なＢＳＲをキャンセルするように構成された正常ＢＳＲキャンセル・モジュールと、
前記正常ＢＳＲトリガ・モジュールによりトリガされた全ての正常なＢＳＲが前記正常ＢＳＲキャンセル・モジュールによりキャンセルされた場合に、前記ＳＲトリガ・モジュールによりトリガされた全てのＳＲをキャンセルするように構成されたＳＲキャンセル・モジュールと、
前記現在のＴＴＩにおいて利用可能なアップリンク送信リソースがなく、かつ、前記ＳＲトリガ・モジュールによりトリガされたトリガ状態にあるＳＲが存在する場合には、ＳＲリソースまたはランダム・アクセス手続きを使用することによって前記ＳＲを送信するように構成されたＳＲ送信モジュールと、
を備える、ユーザ機器。
【請求項１２】
前記ＬＣＧ論理チャネルが前記正常なＢＳＲトリガ条件を満たす場合に前記第１の正常なＢＳＲをトリガするように構成された前記正常ＢＳＲトリガ・モジュールは、特に、
前記ＬＣＧ論理チャネルにおいて、送信可能データの量がゼロから増加するかまたは前記ＬＣＧ論理チャネルの中のデータが送信可能になり、前記ＬＣＧ論理チャネルの優先度が送信可能データを有する他の全てのＬＣＧ論理チャネルの優先度よりも高いこと、
前記ＬＣＧ論理チャネルにおいて、送信可能データの量がゼロから増加し、過去にどのＬＣＧ論理チャネルも送信可能データを有さないこと、
の条件のうち何れか１つを前記論理チャネル・グループ（ＬＣＧ）論理チャネルが満たす場合に前記第１の正常なＢＳＲをトリガするように構成されている正常ＢＳＲトリガ・モジュールを備える、請求項１１に記載のユーザ機器。
【請求項１３】
前記正常ＢＳＲキャンセル・モジュールは特に、
前記第１の正常なＢＳＲをトリガする前記ＬＣＧ論理チャネルが送信可能データを有さない場合に、前記正常ＢＳＲトリガ・モジュールによりトリガされた前記第１の正常なＢＳＲをキャンセルし、または、前記第２の正常なＢＳＲがトリガされた後にどのＬＣＧ論理チャネルも送信可能データを有さない場合に、前記正常ＢＳＲトリガ・モジュールによりトリガされた前記第２の正常なＢＳＲをキャンセルするように構成される、請求項１１または１２に記載のユーザ機器。
【請求項１４】
前記ＳＲトリガ・モジュールは、特に、前記現在のＴＴＩにおいて利用可能なアップリンク送信リソースがなく、かつ、前記正常ＢＳＲトリガ・モジュールによりトリガされたトリガ状態にある前記第１の正常なＢＳＲまたは前記第２の正常なＢＳＲが存在する場合にはＳＲをトリガするように構成され、前記ＳＲは、前記ＳＲをトリガした前記正常なＢＳＲと１対１に対応し、
前記ＳＲキャンセル・モジュールは、特に、各正常なＢＳＲがキャンセルされた後に対応するＳＲをキャンセルするように構成される、
請求項１１乃至１３の何れか１項に記載のユーザ機器。
【請求項１５】
ユーザ機器により送信されたＳＲを受信するステップと、
受信したＳＲの数がＳＲ送信の最大数より小さいかどうかを判定するステップと、
受信したＳＲの数がＳＲ送信の最大数より少ない場合には、前記ＳＲを受信した後にアップリンク送信リソースが前記ユーザ機器に割り当てられたかどうかを判定するステップと、
前記ＳＲを受信した後に前記ユーザ機器にどのアップリンク送信リソースも割り当てられない場合には、前記ユーザ機器により送信された別のＳＲが受信されたかどうかを判定するステップと、
前記ユーザ機器により送信された他のＳＲがない場合には、前記ユーザ機器にアップリンク送信リソースを割り当てるステップを飛ばすステップと、
を含む、送信リソースの割当て方法。
【請求項１６】
ユーザ機器により送信されたＳＲを受信するように構成されたＳＲ受信モジュールと、
前記ＳＲ受信モジュールにより受信したＳＲの数がＳＲ送信の最大数より小さいかどうかを判定し、受信したＳＲの数がＳＲ送信の最大数より少ない場合には、前記ＳＲを受信した後にアップリンク送信リソースが前記ユーザ機器に割り当てられているかどうかを判定し、前記ＳＲを受信した後に前記ユーザ機器にどのアップリンク送信リソースも割り当てられていない場合には、前記ユーザ機器により送信された別のＳＲが受信されているかどうかを判定し、前記ユーザ機器により送信された他のＳＲがない場合には、前記ユーザ機器にアップリンク送信リソースを割り当てるステップを飛ばすように構成されたアップリンク送信リソース割当てモジュールと、
を備える、基地局。
【手続補正２】
【補正対象書類名】明細書
【補正対象項目名】０００７
【補正方法】変更
【補正の内容】
【０００７】
ＰＤＣＰ破棄機構：
ＵＥのＰＤＣＰエンティティは、送信可能なＰＤＣＰサービス・データ・ユニット（Ｓｅｒｖｉｃｅ  Ｄａｔａ  Ｕｎｉｔ、ＳＤＵ）ごとに破棄タイマを開始する。ＰＤＣＰ  ＳＤＵの破棄タイマが切れた場合、ＰＤＣＰエンティティはＰＤＣＰ  ＳＤＵと対応するＰＤＣＰプロトコル・データ・ユニット（Ｐｒｏｔｏｃｏｌ  Ｄａｔａ  Ｕｎｉｔ、ＰＤＵ）とを破棄し、対応する無線リンク制御（Ｒａｄｉｏ  Ｌｉｎｋ  Ｃｏｎｔｒｏｌ、ＲＬＣ）エンティティに当該対応するＲＬＣ  ＳＤＵの破棄を通知する。しかし、ＲＬＣ  ＳＤＵがＲＬＣ  ＰＤＵにアセンブルされている場合、ＲＬＣエンティティはＲＬＣ  ＳＤＵを破棄しない。
【国際調査報告】
2014512782.tif 000014
2014512782.tif 000015
2014512782.tif 000016
2014512782.tif 000017
2014512782.tif 000018
2014512782.tif 000019
2014512782.tif 000020
2014512782.tif 000021